(57)【要約】【課題】在庫保管時等の電力消費を無くすことができる表示機能付きＩＣカードを提供する。【解決手段】表示機能付きＩＣカード１は、ディスプレイ３、制御部２１、電源２５、スイッチ５等を有し、制御部２１がスイッチ５を介して電源２５と接続される。このスイッチ５は、オフの状態からオンとした状態で固定されるようになっており、例えば表示機能付きＩＣカード１の製造から保管時まではオフ状態としておき、出荷時にはじめてオン状態とするようにしておけば、在庫保管時に電源２５が制御部２１に待機電力を供給することがなく、電源２５の電力消費を無くすことができる。【選択図】図２
2013235529.tif 000002
【特許請求の範囲】
【請求項１】
制御部と、
電源と、
前記制御部により表示が行われる表示部と、
を具備し、
前記制御部と前記電源が、オフの状態からオンとした状態で固定可能なスイッチを介して接続されることを特徴とする表示機能付きＩＣカード。
【請求項２】
カード内部において、前記スイッチが外部から密閉されて配置されることを特徴とする請求項１に記載の表示機能付きＩＣカード。
【請求項３】
前記スイッチは、箱部と、導電体とを有し、
前記箱部は、固定部と、一対の導電部とを備え、
オン状態において、前記一対の導電部が前記導電体を介して導通するとともに、前記導電体が前記固定部により固定されることを特徴とする請求項１または請求項２に記載の表示機能付きＩＣカード。
【発明の詳細な説明】
【技術分野】
【０００１】
本発明は表示機能を備えたＩＣカードに関する。
【背景技術】
【０００２】
近年、ＩＣ（Ｉｎｔｅｇｒａｔｅｄ  Ｃｉｒｃｕｉｔ）カード本体に表示機能を備えたものが開発されている。このような表示機能付きのＩＣカードのひとつに、接触式、あるいは非接触式の通信により取得した電子マネー残額等のデータをＩＣチップに記憶し、これを表示用ＣＰＵ等の制御部の制御によりディスプレイに表示するものがある。
【０００３】
表示機能付きＩＣカードは電源として電池を内部に有しており、上記の表示制御はこの電池から制御部に電力を供給して行っている。しかし、このようなカードは薄く小型に形成されるため、電池の容量も限られる。従って、電力を多量に消費すると何回も電池を交換する必要が生じ手間がかかる。
【０００４】
これに対し、特許文献１には、スイッチを押下して一定時間のみ電源から制御回路等に電力を供給して表示を行うことで、電力消費を抑える非接触ＩＣカードについて記載されている。また、特許文献２の発明は、非接触ＩＣカードに電磁波の遮蔽層を一時的に設け、外部からカードに電磁波が照射された際に制御部が起動し電池が消耗することを防いだものである。特許文献３には、内蔵の電池を容易に交換できるＩＣカードについて記載されている。
【先行技術文献】
【特許文献】
【０００５】
【特許文献１】特許第３８２０８６２号
【特許文献２】特許第３７８５６５８号
【特許文献３】特開平７−２６２３３３
【発明の概要】
【発明が解決しようとする課題】
【０００６】
ところで、表示機能付きＩＣカードでは、表示を行わない場合でも電源から制御部に待機電力を供給している。従って、カードの製造後出荷するまでの在庫保管の際に制御部が待機電力を消費し続けてしまい、限られた電力量を減らしてしまう問題があった。
【０００７】
本発明は、前述した問題点に鑑みてなされたもので、在庫保管時等の電力消費を無くすことができる表示機能付きＩＣカードを提供することを目的とする。
【課題を解決するための手段】
【０００８】
前述した目的を達するための本発明は、制御部と、電源と、前記制御部により表示が行われる表示部と、を具備し、前記制御部と前記電源が、オフの状態からオンとした状態で固定可能なスイッチを介して接続されることを特徴とする表示機能付きＩＣカードである。
【０００９】
これにより、スイッチをオンとした際にはじめて電源から制御部に待機電力が供給され、以降その状態でスイッチが固定されるようになる。従って、運用によっていずれかの時点でスイッチをオン状態とするまでは、電源から制御部に待機電力が供給されない状態であるので、当該時点までの待機電力を無くすことができる。例えばカードの製造、保管時にはこのスイッチをオフ状態としておき、出荷する際にスイッチをオン状態とするようにしておけば、在庫保管時等の待機電力を無くすことができる。
【００１０】
また、カード内部において、前記スイッチが外部から密閉されて配置されることが望ましい。
これにより、カード内部に充填される接着材等がスイッチの動作を妨げることが無くなる。
【００１１】
また、前記スイッチは、箱部と、導電体とを有し、前記箱部は、固定部と、一対の導電部とを備え、オン状態において、前記一対の導電部が前記導電体を介して導通するとともに、前記導電体が前記固定部により固定されることが望ましい。
これにより、スイッチをオンとした状態で好適に固定することができるようになる。
【発明の効果】
【００１２】
本発明により、在庫保管時等の電力消費を無くすことができる表示機能付きＩＣカードを提供することができる。
【図面の簡単な説明】
【００１３】
【図１】表示機能付きＩＣカード１の外観図
【図２】表示機能付きＩＣカード１の内部構成を示すブロック図
【図３】スイッチ５を示す図
【図４】スイッチ５のオフ状態からオン状態への遷移について示す図
【図５】表示機能付きＩＣカード１のスイッチ５付近を示す図
【図６】表示機能付きＩＣカード１の製造および保管、出荷を示す図
【図７】表示機能付きＩＣカード１ａを説明する図
【発明を実施するための形態】
【００１４】
以下、図面を参照しながら、本発明の表示機能付きＩＣカードの実施形態について説明する。
【００１５】
［第１の実施形態］
（表示機能付きＩＣカード１の構成）
図１は、第１の実施形態の表示機能付きＩＣカード１の外観図である。この表示機能付きＩＣカード１は、非接触式あるいは接触式の通信を行うことによりＩＣチップに電子マネー残額等のデータを記録し、制御部の制御により当該データを表示するＩＣカードである。
【００１６】
図に示すように、表示機能付きＩＣカード１は、外観上、カード本体２の表面にディスプレイ３、起動スイッチ４、接触端子９等を有する。
【００１７】
ディスプレイ３は、例えば液晶ディスプレイ、電子ペーパ等であり、数字や文字等のデータを表示する。ディスプレイ３としては、表示機能付きＩＣカード１に合わせた薄さのものを用いることができる。
起動スイッチ４は、表示機能付きＩＣカード１の制御部を起動させるためのスイッチである。
接触端子９は、接触式の通信を行う際に外部のリーダライタの端子と接触するもので、接触式の通信を行なう際は、接触端子９を介してデータやＩＣチップの駆動用の電力が供給される。
【００１８】
図２は、表示機能付きＩＣカード１の内部構成を示すブロック図である。表示機能付きＩＣカード１は、制御部２１、ディスプレイ３、電源２５、ＩＣチップ２８、アンテナ２９、起動スイッチ４、スイッチ５等を有する。
【００１９】
電源２５は、例えばリチウム電池等の薄型の一次電池であり、制御部２１に電力を供給する。
【００２０】
ＩＣチップ２８は、接触式通信、非接触式通信の両方のインタフェースを備えるデュアルインタフェースＩＣチップであり、両インタフェース、およびＣＰＵ（Central Processing Unit）、ＲＯＭ（Read Only
Memory）、ＲＡＭ（Random Access Memory）、ＥＥＰＲＯＭ（Electronically Erasable and Programmable ROM）等を備える。ＩＣチップ２８は、外部のリーダライタとの間で通信を行い、ＲＯＭ等に格納されたプログラムに従って処理を実行する。
【００２１】
ＩＣチップ２８は、非接触式の通信の場合にはアンテナ２９を用いてリーダライタとの間で通信を行なう。接触式通信の場合には、接触端子９を介してリーダライタとの間で通信を行う。これにより、電子マネー残額等のデータを取得し、ＥＥＰＲＯＭ等のメモリに記録する。
【００２２】
アンテナ２９は、ＩＣチップ２８がリーダライタと非接触式の通信を行なうためのアンテナである。ＩＣチップ２８の通信時、アンテナ２９はリーダライタから生じている磁界により交流電力を発生し、これによりＩＣチップ２８が駆動する。アンテナ２９は、カード本体２の内部を周回して設けられ、その両端がＩＣチップ２８に接続される。
【００２３】
なお、表示機能付きＩＣカード１は非接触式、接触式のいずれかの通信を行なうものであってもよく、ＩＣチップ２８はいずれかのインタフェースを備えているものでもよい。非接触式の通信のみを行なう場合、上記の接触端子９は不要である。
【００２４】
制御部２１は、ディスプレイ３へのデータの表示を制御するものであり、ＣＰＵ、ＲＯＭ、ＲＡＭ、ＥＥＰＲＯＭ、外部入出力端子等がワンチップ化されたものである。
【００２５】
制御部２１は、スイッチ５を介して電源２５と接続される。このスイッチ５は、表示機能付きＩＣカード１の製造および保管時にはオフの状態であるが、出荷時に押下されてオンとなるとその状態で固定される。スイッチ５の詳細については後述する。なお、以下の説明は、スイッチ５がオンとなり固定された状態について行う。スイッチ５がオフの状態では、電源２５から制御部２１に電力が供給されず、制御部２１は駆動しない。
【００２６】
起動スイッチ４は、押下されてオンの状態となり、押下が解除されるとオフの状態となるスイッチである。起動スイッチ４をオンとすると、制御部２１が起動する。起動した制御部２１は、ＲＯＭ等のメモリに格納されたプログラムをＣＰＵにより実行し、オンの状態で固定されたスイッチ５を介して電源２５から電力供給を受けて駆動する。
【００２７】
これにより、制御部２１は、ＩＣチップ２８がリーダライタから受信してＥＥＰＲＯＭ等に保存した電子マネー残額等のデータを取得し、当該データをディスプレイ３に表示する表示処理を行う。ディスプレイ３は、制御部２１の制御に従いデータの表示を行なう。
【００２８】
（スイッチ５の構成）
次に、図３を参照しながら、スイッチ５について説明する。図３は、スイッチ５の構成を説明する図である。図３（ａ）はスイッチ５を上から見た図であり、図３（ｂ）は図３（ａ）の線Ａ−Ａによる断面図である。図３（ｃ）は固定部５３の近辺を示す斜視図である。なお、図３はスイッチ５がオフの状態を示している。
【００２９】
図に示すように、スイッチ５は、上部が開口した平面矩形状の箱部５１と、箱部５１の上部開口に配置された平面矩形状の導電体５２を有する。なお、図３（ｃ）では説明のため導電体５２の図示を省略した。
【００３０】
箱部５１の対向する一対の側面には、後述するオン状態で導電体５２を固定するための固定部５３がそれぞれ形成される。箱部５１は後述の導電部５１１を除いて樹脂で形成されており、固定部５３の周囲は上部を除いて切り込まれる。これにより固定部５３が弾性を有するようになっている。
固定部５３は、箱部５１の内側に突出する突出部５３１を下部に有する。突出部５３１は、鉛直方向に滑らかに連続する斜面を有している。導電体５２は、スイッチ５のオフ状態において、突出部５３１の上に配置されている。
【００３１】
また、上記一対の側面において、固定部５３の下方は導電部５１１となっている。これら一対の導電部５１１は、導線５４により制御部２１と電源２５とにそれぞれ接続される。
【００３２】
図４は、スイッチ５のオフ状態からオン状態への遷移について示す図である。
【００３３】
図４（ａ）に示すように、スイッチ５のオフ状態では、上記一対の導電部５１１が非導通の状態である。この状態から導電体５２を押し込むと、図４（ｂ）に示すように、導電体５２は、突出部５３１の斜面から固定部５３を外方へ押し出しつつ、箱部５１の下方へ移動する。
【００３４】
こうして導電体５２が突出部５３１を通過し、箱部５１の下部まで押し込まれると、図４（ｃ）に示すように、弾性により固定部５３が元の位置に戻り、導電体５２が、上方にある固定部５３の突出部５３１により係止されて固定される。この状態がスイッチ５のオンの状態であり、導電体５２を介して一対の導電部５１１が導通する。スイッチ５は薄く形成されるので、導電体５２をカード表面から押下することで、上記のようにしてスイッチ５をオンの状態とできる。
【００３５】
図５は表示機能付きＩＣカード１のスイッチ５付近を示す図である。図５（ａ）はスイッチ５付近の表示機能付きＩＣカード１の断面図、図５（ｂ）はスイッチ５付近を上から見た図である。図５（ａ）は図５（ｂ）の線Ｂ−Ｂによる断面図である。
【００３６】
表示機能付きＩＣカード１では、外装材７ａ、７ｂの間に、スイッチ５や図示しない制御部２１などの前記した各部位が配置されており、残りの空間に充填された接着材８により外装材７ａ、７ｂ等が接着されている。接着材８は例えばエポキシ系またはウレタン系等の樹脂である。また図において１１はスイッチ５や制御部２１等が配置される回路基板を示す。なお、図５（ｂ）では外装材７ａ、接着材８等の図示は省略している。
【００３７】
図に示すように、本実施形態では、回路基板１１上でスイッチ５を覆うようにフィルム６を取り付け、外部に対して密閉する。これにより、接着材８がスイッチ５の箱部５１の内部に入り込み、導電体５２の押下を妨げることがないようにしておく。
【００３８】
（表示機能付きＩＣカード１の製造および保管、出荷）
次に、図６を参照してこの表示機能付きＩＣカード１の製造および保管と出荷について説明する。
【００３９】
図に示すように、この表示機能付きＩＣカード１は、まず、スイッチ５をオフ状態として製造され、保管場所で一時的に保管される。
【００４０】
そして、出荷する際に前記のスイッチ５を押下する。するとスイッチ５がオン状態になり電源２５から制御部２１に待機電力が供給される。表示機能付きＩＣカード１はスイッチ５がオンのまま固定された状態で流通し、使用される。スイッチ５はオンの状態で固定されるので、使用時等にスイッチ５がオフ状態となって電源２５から制御部２１への電力供給が遮断したりすることはない。
【００４１】
なお、本実施形態では、スイッチ５の位置を予め知っている出荷者がスイッチ５を押下してオンの状態とするものとし、スイッチ５は、その後操作されることがない。従って、スイッチ５の位置は外部から判別できないようにしている。
ただし、これに限ることはなく、運用によっては、利用者がカードの使用開始時にスイッチ５をオンとするようにしてもよい。このような場合では、利用者がスイッチ５を容易に押下できるように、スイッチ５の位置を外部から判別可能にしてもよい。
【００４２】
以上説明したように、本実施形態の表示機能付きＩＣカード１は、スイッチ５をオンとした際にはじめて電源２５から制御部２１に待機電力が供給され、以降その状態でスイッチ５が固定されるようになる。従って、カードの製造、保管時にはこのスイッチ５をオフの状態としておき、出荷する際にスイッチ５をオンの状態とするようにしておけば、在庫保管時等の待機電力を無くすことができる。
【００４３】
また、本実施形態では、カード内部において、スイッチ５が外部から密閉されて配置されるので、箱部５１の中に接着材８が侵入して導電体５２が押下できなくなるなど、カード内部に充填される接着材８等がスイッチ５の動作を妨げることが無くなる。
【００４４】
さらに、スイッチ５は、オンとした状態において、一対の導電部５１１が導電体５２を介して導通し、かつ導電体５２が固定部５３により固定されるようになっており、これによりスイッチ５をオンとした状態で好適に固定することができる。ただし、スイッチ５の形状その他の構成はこれに限ることはない。
【００４５】
なお、本実施形態では、スイッチ５を押下しオンの状態となった際に、これを示す表示を制御部２１がディスプレイ３で行うようにしてもよい。これにより、スイッチ５がオンの状態となったことを容易に確認できるようになる。
【００４６】
また、表示機能付きＩＣカードとしては、本実施形態で説明したような電子マネー用のカードに限ることはなく、ワンタイムパスワードを生成し、これを表示するワンタイムパスワード生成器もある。次に、ワンタイムパスワード生成器としての表示機能付きＩＣカードの例を第２の実施形態として説明する。
【００４７】
［第２の実施形態］
図７は、ワンタイムパスワード生成器の場合の表示機能付きＩＣカード１ａを示す図である。図７（ａ）は表示機能付きＩＣカード１ａの外観図であり、図７（ｂ）は表示機能付きＩＣカード１ａの内部構成を示すブロック図である。
【００４８】
図に示すように、表示機能付きＩＣカード１ａは、外観上、第１の実施形態の表示機能付きＩＣカード１から接触端子９が省略されたものであり、内部構成においては、ＩＣチップ２８とアンテナ２９が省略される。スイッチ５を含め、その他の点は第１の実施形態と同様であるので説明を省略する。
【００４９】
ワンタイムパスワード生成器では、制御部２１が、起動スイッチ４の押下により起動し、ＲＯＭ等のメモリに格納されたプログラムをＣＰＵにより実行し、オン状態のスイッチ５を介して電源２５から電力供給を受けて、ワンタイムパスワードの生成と、ディスプレイ３への表示を行うようになっている。
ワンタイムパスワードは、例えばネットバンキング等に用いられる１回限りのパスワードであり、これを入力して本人認証用に用いることができる。ワンタイムパスワードは、生成されたパスワードをその場限りで使用するものであり、高度のセキュリティーを保つことが容易である。
【００５０】
第２の実施形態でも、オフ状態からオンとした状態で固定されるスイッチ５を用いることで、第１の実施形態と同様の効果が得られる。
【００５１】
以上、添付図面を参照しながら、本発明の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５２】
１、１ａ………表示機能付きＩＣカード
２………カード本体
３………ディスプレイ
５…スイッチ
【図１】
2013235529.tif 000003
【図２】
2013235529.tif 000004
【図３】
2013235529.tif 000005
【図４】
2013235529.tif 000006
【図５】
2013235529.tif 000007
【図６】
2013235529.tif 000008
【図７】
2013235529.tif 000009